(57)【要約】【課題】画像処理装置からプリント出力した画像と、他の画像処理装置を経由してプリント出力した画像とが同一画像になるようにした医用画像処理装置、医用ネットワークシステム及び医用画像処理装置のコンピュータのためのプログラムを提供する。【解決手段】この医用画像処理装置は、医用画像情報を他の装置から受信し画像処理を行い別の装置に出力し、その出力先であるハードコピー装置に画像処理をした画像情報を出力する第１の出力手段と、ハードコピー装置に出力する手段を有する他の画像処置装置に画像情報を出力するときに、前記第１の出力手段により前記ハードコピー装置に出力するときの前記画像処理におけるトリミング条件と同一のトリミング条件で画像処理された画像情報を前記他の画像処置装置に出力する第２の出力手段と、を具備する。【選択図】　図４
2004088528.tif 000002
【特許請求の範囲】
【請求項１】
医用画像情報を他の装置から受信し画像処理を行い、別の装置に出力する医用画像処理装置であって、
出力先であるハードコピー装置に前記画像処理をした画像情報を出力する第１の出力手段と、
前記ハードコピー装置に出力する手段を有する他の画像処置装置に前記画像情報を出力するときに、前記第１の出力手段により前記ハードコピー装置に出力するときの前記画像処理におけるトリミング条件と同一のトリミング条件で画像処理された画像情報を前記他の画像処置装置に出力する第２の出力手段と、を具備することを特徴とする医用画像処理装置。
【請求項２】
医用画像情報を他の装置から受信し画像処理を行い、別の装置に出力する医用画像処理装置であって、
出力先であるハードコピー装置に前記画像処理をした画像情報を出力する第１の出力手段と、
前記ハードコピー装置に出力する手段を有する他の画像処置装置に前記画像情報を出力するときに、前記第１の出力手段により前記ハードコピー装置に出力するときの前記画像処理におけるトリミング条件と同一のトリミング条件を付帯情報として前記画像情報ととともに前記他の画像処置装置に出力する第２の出力手段と、を具備することを特徴とする医用画像処理装置。
【請求項３】
前記トリミング条件が前記画像上のトリミング位置及びトリミングサイズを含む請求項１または２に記載の医用画像処理装置。
【請求項４】
前記出力される画像情報を表示する表示手段を具備し、
前記出力される画像情報を前記表示手段に表示し前記トリミング条件を変更したとき、前記第１の出力手段で出力される画像情報に関する前記トリミング条件と前記第２の出力手段で出力される画像情報に関する前記トリミング条件とを連動して変更することを特徴とする請求項１，２または３に記載の医用画像処理装置。
【請求項５】
前記トリミング条件を連動して変更するか否かは切替可能であることを特徴とする請求項４に記載の医用画像処理装置。
【請求項６】
前記他の画像処理装置は診断用画像処理装置及び参照用画像処理装置の少なくとも一方である請求項１乃至５のいずれか１項に記載の医用画像処理装置。
【請求項７】
請求項１乃至６のいずれか１項に記載の医用画像処理装置と、医用画像情報を生成し前記医用画像処理装置に送信する医用画像生成装置と、前記画像処理した画像情報を前記医用画像処理装置から受信しハードコピーを出力するハードコピー装置と、前記画像処理した画像情報を前記医用画像処理装置から受信し更に画像処理を行い前記ハードコピー装置に出力する他の画像処置装置と、を含むことを特徴とする医用ネットワークシステム。
【請求項８】
医用画像情報を他の装置から受信し画像処理を行い、別の装置に出力する医用画像処理装置が備えるコンピュータのためのプログラムであって、
出力先であるハードコピー装置に前記画像処理をした画像情報を出力する第１の出力ステップと、前記ハードコピー装置に出力する手段を有する他の画像処置装置に前記画像情報を出力するときに、前記第１の出力ステップで前記ハードコピー装置に出力するときの前記画像処理におけるトリミング条件と同一のトリミング条件で画像処理された画像情報を前記他の画像処置装置に出力する第２の出力ステップと、を前記コンピュータに実行させることを特徴とするプログラム。
【請求項９】
医用画像情報を他の装置から受信し画像処理を行い、別の装置に出力する医用画像処理装置が備えるコンピュータのためのプログラムであって、
出力先であるハードコピー装置に前記画像処理をした画像情報を出力する第１の出力ステップと、前記ハードコピー装置に出力する手段を有する他の画像処置装置に前記画像情報を出力するときに、前記第１の出力ステップで前記ハードコピー装置に出力するときの前記画像処理におけるトリミング条件と同一のトリミング条件を付帯情報として前記画像情報ととともに前記他の画像処置装置に出力する第２の出力ステップと、を前記コンピュータに実行させることを特徴とするプログラム。
【請求項１０】
前記トリミング条件が前記画像上のトリミング位置及びトリミングサイズを含む請求項８または９に記載のプログラム。
【請求項１１】
前記医用画像処理装置が前記出力される画像情報を表示する表示手段を具備し、
前記出力される画像情報を前記表示手段に表示し前記トリミング条件を変更したとき、前記第１の出力手段で出力される画像情報に関する前記トリミング条件と前記第２の出力手段で出力される画像情報に関する前記トリミング条件とを連動して変更するステップを前記コンピュータに実行させることを特徴とする請求項８，９または１０に記載のプログラム。
【請求項１２】
前記トリミング条件を連動して変更するか否かは切替可能であることを特徴とする請求項１１に記載のプログラム。
【請求項１３】
前記他の画像処理装置は診断用画像処理装置及び参照用画像処理装置の少なくとも一方である請求項８乃至１２のいずれか１項に記載のプログラム。
【発明の詳細な説明】
【０００１】
【発明の属する技術分野】
本発明は、医用画像情報を他の装置から受信し画像処理し別の装置に出力する医用画像処理装置、医用ネットワークシステム及び医用画像処理装置のためのプログラムに関する。
【０００２】
【従来の技術】
放射線画像は、病気診断などに多く用いられており、この放射線画像を得るために、ＣＲ（ｃｏｍｐｕｔｅｄ　ｒａｄｉｏｇｒａｐｈｙ）の撮像モダリティ放射線照射部からの被写体を透過した放射線をプレート状の輝尽性蛍光体に吸収させた後、この輝尽性蛍光体を例えばレーザ光で走査しながら励起することによりこの輝尽性蛍光体が上記吸収により蓄積している放射線エネルギ（放射線画像情報）を蛍光として発光せしめ、この蛍光を光電変換して放射線画像信号を得て放射線画像を読み取るようにした方法が公知である。かかるレーザ光の走査により輝尽性蛍光体プレートから発生する蛍光を集光し、フォトマルチプライヤで光電変換し、この電気信号を増幅し、このアナログ信号から変換したデジタル信号に基づいて画像処理することにより放射線画像を読み取る（特開平１１−３４４７８３号公報参照）。
【０００３】
従来、上述のような医用画像生成装置で読み取り生成した医用画像情報を画像処理装置に送り所定の画像処理を行い、出力する場合、ハードコピー装置である医用プリンタには、医用プリンタで画像処理後にライフサイズになるようにトリミングして出力している。一方、ビューア（他の画像処理装置）には、オリジナルサイズ（トリミングしない）で出力している。そして、そのビューア（他の画像処理装置）からハードコピー装置へ出力したとき、その出力した画像は、直接ハードコピーした画像のトリミング位置やサイズが分からないため、直接ハードコピーした画像と同一とならない。
【０００４】
この場合、ビューア（他の画像処理装置）から独自の処理またはＤＩＣＯＭ規格の依頼済み画像寸法で出力したとき、その出力画像がフィルムサイズよりも大きい場合は縮小されてしまったり、またはエラーとなる可能性がある。また、トリミングされる場合も、トリミング位置の情報がＤＩＣＯＭ規格にはないため、適当な位置でトリミングされてしまう。
【０００５】
【発明が解決しようとする課題】
本発明は、画像処理装置からプリント出力した画像と、他の画像処理装置を経由してプリント出力した画像とが同一画像になるようにした医用画像処理装置及び医用ネットワークシステムを提供することを目的とする。また、かかる医用画像処理装置のコンピュータのためのプログラムを提供することを目的とする。
【０００６】
【課題を解決するための手段】
上記目的を達成するために、本発明による医用画像処理装置は、医用画像情報を他の装置から受信し画像処理を行い、別の装置に出力する医用画像処理装置であって、出力先であるハードコピー装置に前記画像処理をした画像情報を出力する第１の出力手段と、前記ハードコピー装置に出力する手段を有する他の画像処置装置に前記画像情報を出力するときに、前記第１の出力手段により前記ハードコピー装置に出力するときの前記画像処理におけるトリミング条件と同一のトリミング条件で画像処理された画像情報を前記他の画像処置装置に出力する第２の出力手段と、を具備することを特徴とする。
【０００７】
この医用画像処理装置によれば、画像処理装置からハードコピー装置に出力しそのハードコピー装置から出力した画像と、他の画像処理装置を経由してハードコピー装置に出力しそのハードコピー装置から出力した画像とが、同一のトリミング条件で画像処理されているので、同一画像になる。従って、他の画像処理装置を経由して出力した画像が、意図に反して縮小されてしまったり、エラーで送れなかったり、意図に反した位置でトリミングされてしまったりすることがない。
【０００８】
本発明による別の医用画像処理装置は、医用画像情報を他の装置から受信し画像処理を行い、別の装置に出力する医用画像処理装置であって、出力先であるハードコピー装置に前記画像処理をした画像情報を出力する第１の出力手段と、前記ハードコピー装置に出力する手段を有する他の画像処置装置に前記画像情報を出力するときに、前記第１の出力手段により前記ハードコピー装置に出力するときの前記画像処理におけるトリミング条件と同一のトリミング条件を付帯情報として前記画像情報ととともに前記他の画像処置装置に出力する第２の出力手段と、を具備することを特徴とする。
【０００９】
この医用画像処理装置によれば、他の画像処理装置に出力したとき、その他の画像処理装置で付帯情報のトリミング条件で画像処理できるので、その他の画像処理装置を経由してハードコピー装置に出力しそのハードコピー装置から出力した画像と、同一のトリミング条件で画像処理した画像処理装置からハードコピー装置に出力しそのハードコピー装置から出力した画像とが同一画像になる。従って、他の画像処理装置を経由して出力した画像が、意図に反して縮小されてしまったり、エラーで送れなかったり、意図に反した位置でトリミングされてしまったりすることがない。
【００１０】
上記画像処理装置では、前記トリミング条件が前記画像上のトリミング位置及びトリミングサイズを含むことが好ましい。
【００１１】
また、前記出力される画像情報を表示する表示手段を具備し、前記出力される画像情報を前記表示手段に表示し前記トリミング条件を変更したとき、前記第１の出力手段で出力される画像情報に関する前記トリミング条件と前記第２の出力手段で出力される画像情報に関する前記トリミング条件とを連動して変更することにより、両トリミング条件を自動的に同じにすることができる。この場合、前記トリミング条件を連動して変更するか否かは切替可能であるように構成してもよい。
【００１２】
また、前記他の画像処理装置は診断用画像処理装置及び参照用画像処理装置の一方または両方であってよい。
【００１３】
本発明による医用ネットワークシステムは、上述の医用画像処理装置と、医用画像情報を生成し前記医用画像処理装置に送信する医用画像生成装置と、前記画像処理した画像情報を前記医用画像処理装置から受信しハードコピーを出力するハードコピー装置と、前記画像処理した画像情報を前記医用画像処理装置から受信し更に画像処理を行い前記ハードコピー装置に出力する他の画像処置装置と、を含むことを特徴とする。
【００１４】
この医用ネットワークシステムによれば、画像処理装置からハードコピー装置に出力した画像と、他の画像処理装置を経由してハードコピー装置に出力した画像とが同一画像になる。従って、他の画像処理装置を経由して出力した画像が、意図に反して縮小されてしまったり、エラーで送れなかったり、意図に反した位置でトリミングされてしまったりすることがない。
【００１５】
本発明によるプログラムは、医用画像情報を他の装置から受信し画像処理を行い、別の装置に出力する医用画像処理装置が備えるコンピュータのためのプログラムであって、出力先であるハードコピー装置に前記画像処理をした画像情報を出力する第１の出力ステップと、前記ハードコピー装置に出力する手段を有する他の画像処置装置に前記画像情報を出力するときに、前記第１の出力ステップで前記ハードコピー装置に出力するときの前記画像処理におけるトリミング条件と同一のトリミング条件で画像処理された画像情報を前記他の画像処置装置に出力する第２の出力ステップと、を前記コンピュータに実行させることを特徴とする。
【００１６】
本発明による別のプログラムは、医用画像情報を他の装置から受信し画像処理を行い、別の装置に出力する医用画像処理装置が備えるコンピュータのためのプログラムであって、出力先であるハードコピー装置に前記画像処理をした画像情報を出力する第１の出力ステップと、前記ハードコピー装置に出力する手段を有する他の画像処置装置に前記画像情報を出力するときに、前記第１の出力ステップで前記ハードコピー装置に出力するときの前記画像処理におけるトリミング条件と同一のトリミング条件を付帯情報として前記画像情報ととともに前記他の画像処置装置に出力する第２の出力ステップと、を前記コンピュータに実行させることを特徴とする。
【００１７】
上述の医用画像処理装置が備えるコンピュータのための各プログラムによれば、画像処理装置からハードコピー装置に出力した画像と、他の画像処理装置を経由してハードコピー装置に出力した画像とが同一画像になるようにコンピュータを実行させることができる。従って、他の画像処理装置を経由して出力した画像が、意図に反して縮小されてしまったり、エラーで送れなかったり、意図に反した位置でトリミングされてしまったりすることがない。
【００１８】
この場合、前記トリミング条件が前記画像上のトリミング位置及びトリミングサイズを含むことが好ましい。
【００１９】
また、前記医用画像処理装置が前記出力される画像情報を表示する表示手段を具備し、前記出力される画像情報を前記表示手段に表示し前記トリミング条件を変更したとき、前記第１の出力手段で出力される画像情報に関する前記トリミング条件と前記第２の出力手段で出力される画像情報に関する前記トリミング条件とを連動して変更するステップを前記コンピュータに実行させることにより、医用画像処理装置において両トリミング条件を自動的に同じにすることができる。この場合、前記トリミング条件を連動して変更するか否かは切替可能であることが好ましい。
【００２０】
また、前記他の画像処理装置は診断用画像処理装置及び参照用画像処理装置の一方または両方であってよい。
【００２１】
【発明の実施の形態】
以下、本発明による実施の形態の医用ネットワークシステムについて図面を用いて説明する。図１は本発明の実施の形態による医用ネットワークシステムの構成を示す図である。
【００２２】
図１の医用ネットワークシステムは、被写体（患者）の放射線画像情報が記録された輝尽性蛍光体パネルを励起光で走査して発光させ、その光を光電変換して画像情報を得るＣＲ（ｃｏｍｐｕｔｅｄ　ｒａｄｉｏｇｒａｐｈｙ）の撮像モダリティにより医用画像を生成する医用画像生成装置１と、医用画像生成装置１から画像ファイルを入力し、画像処理を実施した後に画像情報を出力する医用画像処理装置２と、パーソナルコンピュータ（パソコン）やワークステーション等からなり、放射線科医師が画像を参照し診断を行うための診断用端末３と、を備える。
【００２３】
図１の医用ネットワークシステムは、画像を表示するパソコンやワークステーション等からなり、画像を参照するが診断は行わない参照用端末４と、パソコンやワークステーション等からなり画像データベースに画像ファイルを保管するとともに診断用端末３及び参照用端末４から画像を検索し読み出すことができる画像サーバ５と、医用画像生成装置１または医用画像処理装置２からの画像データをフィルムや紙等の記録媒体に可視画像として出力するハードコピー装置である複数のプリンタ６，７と、を備える。
【００２４】
図１の医用ネットワークシステムは、ネットワーク１０を介して各装置１〜７がオンライン接続され、情報を互いに送信しかつ受信できるようになっている。
【００２５】
次に、図１の医用画像処理装置２に関する次の事項Ａ〜Ｈを順に詳細に説明する。
Ａ．装置構成
Ｂ．情報
Ｃ．ファイル
Ｄ．主な情報の入力・表示
Ｅ．画像確認手順
Ｆ．出力
Ｇ．出力画像の形成
Ｈ．ユーティリティ機能
【００２６】
Ａ．装置構成
図２は医用画像処理装置２の構成を示すブロック図である。
【００２７】
ａ．図２に示す医用画像処理装置２は、放射線画像撮影システム全体の動作を制御する主制御装置２１と、ＣＲＴディスプレイや液晶パネル等からなり医用画像生成装置１等で得られたデジタル画像データを表示するための画像表示装置２２とを備え、パーソナルコンピュータから構成でき、入力キーボードやマウス等の情報入力装置を含む。
【００２８】
図２に示すように、医用画像処理装置２は更に、画像生成装置１等からの画像ファイルを受信する受信部４０と、ハードディスク装置やＲＡＭ等から構成され受信した画像ファイル等の情報及び画像処理後の画像情報を記憶する保存部４１と、画像ファイル中の画像情報について画像処理を行う画像処理部４２と、外部装置に出力するための出力画像を形成する出力画像形成部４３と、受信した画像の画像確認等のために縮小画像を画像表示装置２２に表示させる画像確認処理部４５とを含む。主制御装置２１により各部分４０〜４３，４５及び表示装置２２等が制御される。
【００２９】
ｂ．医用画像処理装置２の機能は次のとおりであり、各機能は主制御装置２１により制御される。
▲１▼医用画像生成装置１等より画像ファイルを受信部４０で受信する。
▲２▼画像ファイルを保存部４１に一時保存する。
▲３▼画像品質を画像確認処理部４５で作成した縮小画像で確認する。
▲４▼画像処理部４２で画像処理を実施する。
▲５▼出力画像形成部４３で出力画像を形成する。
▲６▼出力画像をネットワーク１０を介して画像サーバ５、プリンタ６，７等の外部装置へ転送する。
【００３０】
Ｂ．情報
医用画像処理装置２で取り扱う情報は以下の５つに分類できる。
【００３１】
ａ．条件情報
画像ファイルを受信して、処理された画像ファイルとして画像サーバ５等の外部装置へ出力するための条件情報であり、次のものが含まれる。
（ａ）画像処理情報
画像処理部４２における階調処理、周波数処理に関する情報である。
（ｂ）出力装置情報
画像データを再生・出力する画像サーバ５等の外部装置に関する情報であり、画像サーバ５等の出力装置毎に出力領域、拡大縮小率、出力フォーマット（マルチフォーマット、分割撮影フォーマット）、オーバーレイ、階調処理及び周波数処理の有無等を指定する。
（ｃ）オーバーレイ情報
ＡＰ／ＰＡ・Ｒ／Ｌ・コメント等のオーバーレイの有無・位置等の情報がある。
（ｄ）特殊指定
プロテクトの情報：画像出力後も、プロテクトを外すまで画像ファイルを保存する。
保留（ペンディング）の情報：転送を保留する。後で画像を見直してから転送したい場合に指定する。
優先（緊急）の情報：緊急撮影の場合など優先的に出力したい場合に指定する。キューの先頭に登録される。
【００３２】
ｂ．患者情報
患者に関する情報である。
（ａ）患者ＩＤ情報
患者ＩＤ番号、氏名、性別、生年月日等が含まれる。
（ｂ）オーダー情報
医師が撮影依頼をする情報である。
患者の状態に関する情報、検査依頼に関する日時・方法の指示等が含まれる。
【００３３】
ｃ．実施情報
受信、画像処理した結果に関する情報である。
（ａ）受信結果　撮影日時等が含まれる。
（ｂ）画像処理結果
画像処理パラメータ算出結果であり、出力時にこの結果に基づき画像データを画像処理する。
（ｃ）システム情報
撮影が行われた時点でのシステム構成等、システム情報の一部が含まれる。
【００３４】
ｄ．システム情報
（ａ）図１のシステムを管理・制御するための情報。
（ｂ）図１のシステムの構成（接続されている画像サーバ５等の外部装置、その名称）。
（ｃ）図１のシステムを構成する機器を制御するためのパラメータ、テーブル。
（ｄ）入力装置である医用画像生成装置１に関する設定情報
（ｅ）プリンタ６の情報、ＨＯＳＴ情報等、出力装置に関する設定情報。
【００３５】
ｅ．画像データ
（ａ）医用画像生成装置１より受信した画像データ。
（ｂ）画像確認のために画像データより作成した表示用縮小画像データ
（ｃ）画像確認処理部４５での表示用縮小画像の画像処理のための画像処理用縮小画像データ。
（ｄ）階調処理、周波数処理等を施した出力画像データ。
【００３６】
Ｃ．ファイル
医用画像処理装置２で取り扱うファイルは保存部４１に保存され、以下の７つに分類できる。
【００３７】
ａ．条件ファイル
条件キーは画像ファイルに対する画像処理条件、出力条件をあらかじめセットしておくキーである。条件キー毎に対応した条件ファイルを持つ。条件ファイルは上記条件情報で構成される。撮影部位（肺野、腹部、頭部等）、撮影体位（立位、臥位等）、撮影方向（正面、側面等）、患者の特徴（性別、年齢、体格等）、病名、使用する技師等により分類し、それぞれに対応した名称、撮影情報をあらかじめ設定しておく。そして、主制御装置２１は、複数に分類した各分類毎に、条件ファイル群を設定し、設定された条件ファイル群毎に複数の条件ファイルを設定し、保存部４１に保存する。画像受信時にもっとも適した条件を一つ選ぶ。
【００３８】
ｂ．画像ヘッダファイル
受信後、画像ヘッダファイルが作成される。画像ヘッダはその撮影の予約ファイル（すなわち撮影情報、患者情報）、撮影実施情報で構成される。ユーザが撮影情報、患者情報、撮影実施情報を参照、変更する場合は画像ヘッダファイルを参照する。
【００３９】
ｃ．縮小画像ファイル
画像データを何分の一かに縮小した画像データである。
（ａ）表示用縮小画像データ
図２の画像表示装置２２に表示されるデータは、この表示用縮小画像を使用する。
（ｂ）画像処理用縮小画像データ
画像処理を実施するためのパラメータを算出する縮小画像データである。縮小率は縮小後の１画素があらかじめ指定された同一長さになるように決定する。これにより読取画素サイズの違いを縮小後の画像で補正できる。画像処理パラメータの算出は、画像処理用縮小画像で行われ、画像データは使用しない。
【００４０】
ｄ．画像ファイル
（ａ）画像ファイルは、画像付帯情報（画像ヘッダ）と画像データで構成される。
（ｂ）画像ヘッダは条件情報、患者情報、実施情報で構成される。
ユーザが条件情報、患者情報、実施情報を参照し、変更する場合は画像ヘッダを参照する。
【００４１】
ｅ．出力画像ファイル
周波数処理・階調処理・オーバーレイ・回転・拡大縮小のうち指定された処理を施した出力画像データのファイルである。
【００４２】
ｆ．システムファイル
上記システム情報をファイル化したものである。
【００４３】
Ｄ．主な情報の入力・表示
【００４４】
ａ．受信画像情報表示
受信画像をサムネイル表示する。
【００４５】
ｂ．出力情報表示
▲１▼出力サイズ、向き、トリミング位置、出力位置、拡大縮小方法等を指定する。あらかじめ条件ファイルに登録する。
▲２▼条件キーが選択されると、あらかじめ指定された条件で出力領域、出力画像領域が決定され、画像表示装置２２の画面上に表示される。画像表示装置２２の画面上の出力領域表示エリアの大きさを出力における最大出力領域とする。出力領域、出力画像領域を、出力領域表示エリアにグラフィック表示する。これにより、適切な出力領域、出力画像領域の選択、確認を装置毎に行うことができる。
【００４６】
ｃ．オーバーレイ情報
▲１▼「ＡＰ」、「ＰＡ」、「Ｒ」、「Ｌ」、コメント、目盛り等をオーバーレイするか否か、どの位置にオーバーレイするかを指定する。あらかじめ条件ファイルに登録する。
▲２▼画像表示装置２２の画面の出力領域表示エリアに、出力画像を表示し、そこにオーバーレイ情報をグラフィック表示する。
▲３▼適切なオーバーレイの選択、位置の指定をできる。
▲４▼オーバーレイに隠れて見えない部分が無いことを確認できる。オーバーレイにより診断に不都合が生じる場合は移動できる。
【００４７】
ｄ．ＲＩＳからのオンライン情報入出力
▲１▼医師からのオーダーを入力する。入力したオーダーを、本システムのフォーマットに変換し予約ファイルに保存する。撮影部位、撮影方法を対応する撮影条件キーで変換する。
▲２▼画像ヘッダファイルをＲＩＳ側フォーマットに変換し出力する。
【００４８】
ｅ．画像リスト
画像ファイルをリストとして表示することができる。
【００４９】
Ｅ．画像確認手順
ａ．画像確認時のシステムの動作
（１）画像ファイルを医用画像生成装置１より受信し、保存部４１に格納する。
（２）保存部４１の記憶媒体に格納された画像ファイルは、画像確認処理部４５であらかじめ指定された縮小率で縮小される。
（３）順次、縮小画像が画像表示装置２２の画面に表示される。
（４）受信及び表示終了後、デジタル画像情報は撮影条件キーによってあらかじめ指定された方法で画像処理され画像表示装置２２に再表示される。画像処理のパラメータの決定には縮小画像が使用される。
（５）画像表示装置２２に順次、表示され、表示終了後階調処理された画像を再表示する。
（６）オペレータが、画像表示装置２２に表示される受信画像を見て正常画像と判断した場合は、文字情報入力装置より受信終了を確認するためのキーを入力し画像確認は終了する。
（７）患者情報、画像処理方法、出力方法等を変更したい場合には、文字情報入力装置から新たな情報を入力することができる。
（８）画像確認キーが押されるとその画像の画像確認は終了し自動的に次の画像が表示される。
（９）画像に問題がある場合は、画像処理の変更することができる。保留として、後で詳細な画像処理の変更が可能である。
（１０）画像確認キーが入力されると画像確認は終了し、以下の処理がされる。
▲１▼画像ファイルが確認済み画像ファイルとして保存部４１に保存される。
▲２▼画像確認が終了した画像は外部装置への出力のためにキューに登録される。
▲３▼次に受信された画像ファイルが表示されて、画像確認可能となる。
（１１）保留キーが入力されると画像確認は終了する。
【００５０】
Ｆ．出力
▲１▼出力は受信、画像確認とは非同期に行われる。
▲２▼キューは外部装置毎に作られて管理され、それぞれのキューは互いに独立に動作し、影響し合わない。したがって出力は装置毎に非同期に行われる。
▲３▼画像がどの外部装置のキューに登録されているかは保存部４１にキュー登録テーブルとして保存され、キューへの登録、削除毎に更新されて管理される。
▲４▼キューに登録された画像は登録された順に外部装置に出力され、出力が終了した画像はキューから削除される。
▲５▼出力を実行するときには、キューに登録されている番号から、保存部４１に記憶されている画像ファイルを特定する。
▲６▼画像ファイルに保存されている条件で出力画像が形成される。画像ヘッダは出力装置毎に決められるフォーマットに変換され、画像データと共に転送される。
【００５１】
Ｇ．出力画像の形成
【００５２】
ａ．出力画像は、出力画像形成部４３で主に以下の処理で形成される。
▲１▼保存部４１から画像用メモリへ、画像データを読み出す。
▲２▼周波数処理を行う。
▲３▼イコライゼーション処理
▲４▼階調処理を行う
▲５▼画像の回転を行う
▲６▼ミラー反転を行う
▲７▼拡大縮小を行う
▲８▼オーバーレイを行う
【００５３】
ｂ．▲２▼〜▲８▼は実行するかどうかを条件情報で出力装置毎に指定できる。
【００５４】
ｃ．▲２▼〜▲８▼の指定された処理をした画像データを処理済み画像データファイルとして保存することを指定できる。各出力装置への出力画像の共通処理部分の再処理をなくす。
【００５５】
ｄ．例えば、各出力装置への出力画像の拡大縮小率が違う場合、▲６▼まで処理済みの画像を保存しておけば、別装置へ転送する場合、▲６▼まで処理済みの画像を読み出し、▲７▼▲８▼のみ処理を行い転送することで、▲２▼〜▲６▼での時間を短縮できる。
【００５６】
ｅ．▲５▼▲６▼を▲２▼▲３▼▲４▼のいずれかと同時に実行する。メモリのアクセスが減り、処理時間を短縮できる。
【００５７】
Ｈ．ユーティリティ機能
【００５８】
ａ．ユーザのためのユーティリティとしていくつかの機能を持つ。
ユーティリティ機能はパスワードにより、一般ユーザ、マネージャー、メーカー毎に機能が制限される。特に画像に関する情報の変更は、セキュリティのためにマネージャーのパスワードを必要とする。
【００５９】
ｂ．画像ファイル操作
▲１▼画像ファイルリストが表示され、保存されている画像に関する情報が受信順に画像表示装置２２に表示される。
▲２▼リスト中から所望の画像を選択すると、患者情報、条件情報、画像が画像確認時の画面と同様の形態で表示される。
▲３▼患者情報、画像処理方法、出力方法等を変更することができる。
▲４▼撮影時に「保留」を指定された画像は、ここで再確認することで「保留」が解除される。
▲５▼各外部装置へ出力するかどうか、出力順を変更できる。
【００６０】
ｃ．撮影記録、照射録
▲１▼撮影情報、患者情報を統計処理し、撮影記録、照射録としてユーザに提供する。
▲２▼指定された期間の撮影部位毎の撮影数、一日に撮影した撮影条件のリスト等を出力できる。
【００６１】
ｄ．カスタマイズ
画面、操作性をユーザ毎にカスタマイズできる。
【００６２】
次に、上述の医用画像処理装置２に対し他の医用画像処理装置である図１の診断用端末３について図３のブロック図を参照して説明する。
【００６３】
即ち、診断用端末（他の医用画像処理装置）３は、図３に示すように、医用画像処理装置２等からの画像ファイルを受信する受信部５０と、ハードディスク装置やＲＡＭ等から構成され受信した画像ファイル等の情報及び画像処理後の画像情報を記憶する保存部５１と、画像ファイル中の画像情報について画像処理を行う画像処理部５２と、画像サーバ５やプリンタ６，７等に出力するための出力画像を形成する出力画像形成部５３と、ＣＲＴディスプレイや液晶パネル等からなり画像処理したデジタル画像を診断のために表示する画像表示装置５４と、各部分５０〜５４等の端末３全体の動作を制御する主制御装置５５と、を備え、所謂「ビューア」を構成する。
【００６４】
また、診断用端末３では、画像処理部５２が高解像度の精細な画質の診断用画像を得るように画像情報を画像処理し、その精細な画質の画像を画像表示装置５４の画面に表示する。
【００６５】
また、図１の参照用端末４は、上述の医用画像処理装置２に対しもう１つの他の医用画像処理装置であり、図３と同様の構成でビューアとして構成できる。なお、参照用端末４はカルテ等と対比しながら画像を参照するが診断は行わないので、診断用端末３に比べ解像度等の画質は劣っていてもかまわない。
【００６６】
次に、図１，図２の画像処理装置２から、所定のトリミング条件で画像処理した画像情報をプリンタ６に出力し、更にその画像情報を診断用端末（ビューア）３にも出力するとき、画像処理装置２からプリンタ６に出力するときのトリミング条件と同一のトリミング条件で出力可能なように動作させる例を図４のフローチャートを参照して説明する。
【００６７】
図１の医用画像生成装置１において医用画像情報を生成し送信し、医用画像処理装置２がそれらの医用画像情報を受信する（Ｓ０１）。受信した画像情報について図２の画像処理部４２で画像処理を行い（Ｓ０２）、図２の画像表示装置２２に表示させながら画像確認を行う（Ｓ０３）。
【００６８】
次に、医用画像処理装置２において条件ファイルが選択されると、医用画像処理装置２の画像表示装置２２の画面上の、予め指定された条件で決定された出力領域、出力画像領域に画像処理された画像が表示される（Ｓ０４）。
【００６９】
なお、画像表示装置２２の画面上の出力領域表示エリアの大きさを医用画像処理装置２の出力における最大出力領域とする。上述のように、出力領域、出力画像領域を、画像表示装置２２の画面上の出力領域表示エリアにグラフィック表示することにより、適切な出力領域、出力画像領域の選択、確認を出力先の装置毎に行うことができる。また、出力サイズ、向き、トリミング位置、出力位置、拡大縮小方法等は予め条件ファイルに登録しておくことができる。
【００７０】
次に、画像を画像表示装置２２の画面上に表示し、その画像に関するトリミング位置及びトリミングサイズを変更し（Ｓ０５）、その変更したトリミング条件でプリンタ６に出力しかつ診断用端末（ビューア）３に出力することを選択すると（Ｓ０６）、その変更したトリミング条件で画像処理された画像をプリンタ６に出力しかつ診断用端末３に出力するように医用画像処理装置２の主制御装置２１が出力画像形成部４３等に対し設定し（Ｓ０７）、そのトリミング条件で画像処理された画像情報をプリンタ６に出力するとともに、その同一のトリミング条件で画像処理された画像を診断用端末３に出力する（Ｓ０９）。
【００７１】
また、その変更したトリミング条件で両方に出力することを選択しないときには（Ｓ０６）、その変更したトリミング条件で画像処理された画像をプリンタ６に出力するように出力画像形成部４３等に設定し（Ｓ０８）、そのトリミング条件で画像処理された画像をプリンタ６に出力する（Ｓ０９）。
【００７２】
上述のように医用画像処理装置２から診断用端末（ビューア）３を経由してプリント出力するとき、画像は同じトリミングサイズで既にトリミングされているので、新たにトリミングする必要がなく、プリンタ６は受信した画像をフィルム等の記録媒体の出力エリアに外接させて出力する。従って、医用画像処理装置２と診断用端末（ビューア）３とにおいて、トリミングサイズが同一、即ち、縦横比が同一であるので、同一画像として出力される。トリミングサイズが同一であれば、医用画像処理装置２からプリンタ６へ出力した画像サイズと、医用画像処理装置２から診断用端末（ビューア）３へ出力した画像サイズとが違っても、プリンタ６からは結果的に同一サイズの画像として出力される。
【００７３】
以上のように、本実施の形態によれば、画像上のトリミング位置及びトリミングサイズを変更したときは、プリンタ６及び診断用端末（ビューア）３の両方に対して連動して変更した同じトリミング条件を設定することができる。従って、診断用端末（ビューア）３から出力した画像情報をプリンタ６に出力し、そのプリンタ６から出力される画像は、医用画像処理装置２から直接にプリンタ６に出力しプリンタ６から出力したときの画像と同一の画像になる。
【００７４】
また、プリンタ６及び診断用端末（ビューア）３に対してトリミング条件を連動して変更するか否かは上記ステップＳ０６で選択できるので、切替可能に構成できる。従来、プリンタ６のみ変更するか、または、プリンタ６及び診断用端末（ビューア）３についてそれぞれ別々に変更していたが、プリンタ６及び診断用端末（ビューア）３の両方に対してトリミング条件を連動して変更できる。
【００７５】
また、上記ステップＳ０６ではプリンタ６及び診断用端末（ビューア）３の両方に対して変更した同じトリミング条件を一律に設定するようにでき、プリンタ６及び診断用端末（ビューア）３に対して同じトリミング条件を自動的に設定することができる。
【００７６】
以上のように、医用画像処理装置２から直接出力しプリンタ６から出力した画像と、診断用端末（ビューア）３を経由してプリンタ６から出力した画像とが同一画像になるので、診断用端末（ビューア）３を経由して出力した画像が、意図に反して縮小されてしまったり、エラーで送れなかったり、意図に反した位置でトリミングされてしまったりすることがない。
【００７７】
なお、図１における別のプリンタ７及び別のビューア（参照用端末４）に対しても上述と同様に構成できることは勿論である。
【００７８】
また、図２の医用画像処理装置２の保存部４１には、上述の図４のフローチャートにおける各ステップを実行できるようにプログラミングされたプログラムが格納されており、主制御装置２１が必要に応じてプログラムを読み出し、そのプログラムを実行することができる。
【００７９】
以上のように本発明を実施の形態により説明したが、本発明はこれらに限定されるものではなく、本発明の技術的思想の範囲内で各種の変形が可能である。例えば、医用画像生成装置としては、患者の放射線画像情報が記録された輝尽性蛍光体パネルから放射線画像を読み取るようにしたＣＲ装置以外に、Ｘ線フラットパネルディテクタを用いた放射線画像撮影装置、ＣＴ（ｃｏｍｐｕｔｅｄ　ｔｏｍｏｇｒａｐｈｙ：コンピュータ断層撮影装置）　、ＭＲＩ（ｍａｇｎｅｔｉｃ　ｒｅｓｏｎａｎｃｅ　ｉｍａｇｉｎｇ：核磁気共鳴映像装置）、ＤＲ（ｄｉｇｉｔａｌ　ｒａｄｉｏｇｒａｐｈｙ：デジタルラジオグラフィー）、ＵＳ（ｕｌｔｒａｓｏｕｎｄ：超音波診断装置）などの医用画像生成装置であってもよいことは勿論であり、また、本発明による医用ネットワークシステムにこれらの各医用画像生成装置をそれぞれ接続するようにしてもよい。
【００８０】
また、図４のステップＳ０８では、診断用端末（ビューア）に対してその変更したトリミング条件を設定するようにでき、また、プリンタまたは診断用端末のいずれかに対して変更したトリミング条件を設定することを選択できるように構成できる。
【００８１】
また、ステップＳ０５でトリミング条件を変更しないときには、ステップＳ０６に移るように構成でき、上述のようにその同じトリミング条件でプリンタに出力しかつ診断用端末（ビューア）に出力するようにできる。
【００８２】
また、図４のステップＳ０９では、所定のトリミング条件で画像処理された画像情報をプリンタ６に直接に出力するとともに、そのトリミング条件と同一のトリミング条件で画像処理された画像情報を診断用端末３に出力するようにしたが、本発明はこれに限定されず、例えば、診断用端末３に出力するときに、そのトリミング条件と同一のトリミング条件を付帯情報として画像情報とともに診断用端末３に出力し、診断用端末３側でその付帯情報に含まれたトリミング条件で画像処理をしてから、プリンタ６に出力するようにしてもよい。
【００８３】
【発明の効果】
本発明によれば、画像処理装置からプリント出力した画像と、他の画像処理装置を経由してプリント出力した画像とが同一画像になるようにした医用画像処理装置、医用ネットワークシステム及び医用画像処理装置のためのプログラムを提供できる。
【図面の簡単な説明】
【図１】本発明の実施の形態による医用ネットワークシステムの構成を示す図である。
【図２】図１の医用画像処理装置２の構成を示すブロック図である。
【図３】図１の診断用端末（ビューア）３の構成を示すブロック図である。
【図４】本実施の形態の医用画像処理装置における動作を示すフローチャートである。
【符号の説明】
１　　　　　　　　医用画像生成装置
２　　　　　　　　医用画像処理装置
３　　　　　　　　診断用端末、ビューア（他の画像処理装置）
４　　　　　　　　参照用端末、ビューア（他の画像処理装置）
６、７　　　　　　プリンタ（ハードコピー装置）
１０　　　　　　　ネットワーク
２１　　　　　　　主制御装置
２２　　　　　　　画像表示装置
４３　　　　　　　出力画像形成部
【図１】
2004088528.tif 000003
【図２】
2004088528.tif 000004
【図３】
2004088528.tif 000005
【図４】
2004088528.tif 000006